(57)【要約】【課題】浴室、シャワー室、洗面室またはトイレ等の水回り部を、使用しないときは可能な限りコンパクトに配置し、使用するときは広くゆったり利用できるようにした水回りユニットを提供する。【解決手段】玄関１と当該玄関１を中央にその両側にシャワー室２とトイレ３を対称に配置する。シャワー室２の外壁７と間仕切り壁６の内側にそれぞれ内壁９と内壁１０、そして床１１をそれぞれ設ける。トイレ３の外壁７と間仕切り壁６の内側にそれぞれ内壁９と内壁１０、そして床１１を設ける。シャワー室２の内壁９、１０、床１１および妻壁１２を玄関１側に引き出せるように構成する。トイレ３の内壁９、１０、床１１および玄関側の妻壁１４を玄関１側に引き出せるように構成する。【選択図】図２
2007303130.tif 000002
【特許請求の範囲】
【請求項１】
居室、廊下、玄関または叩きに接して配置され、浴室、シャワー室、洗面室またはトイレとして利用される水回りユニットであって、床および壁の一部が前記居室、廊下、玄関または叩き側に移動して広くなるように構成されてなることを特徴とする水回りユニット。
【請求項２】
居室、廊下、玄関または叩きを中央にして、当該居室、廊下、玄関または叩きの両側に対称に配置され、それぞれ床および壁の一部が前記居室、廊下、玄関または叩き側に移動して広くなるように構成されてなることを特徴とする請求項１記載の水回りユニット。
【請求項３】
叩きとの間に叩き側が低い段差が設けられていることを特徴とする請求項１または２記載の水回りユニット。
【発明の詳細な説明】
【技術分野】
【０００１】
本発明は居室、廊下、玄関または叩きに接して配置され、浴室、シャワー室、洗面室またはトイレとして利用される水回りユニットに関し、例えばワンルームマンションや独身寮などのような住戸床面積の狭い建物の水回り部に利用される。
【背景技術】
【０００２】
いわゆるワンルームマンションや独身寮などの住戸は、一般に限られた空間内で居室部分を可能な限り広くする一方、浴室、洗面、トイレ、キッチン等の水回り部は可能な限り狭くコンパクトに配置されているため、特に浴室やトイレ等の水回り部の利用に際しては、非常に窮屈な思いを強いられることが多い。
【０００３】
このため、この種の住戸の水回り部は、例えば浴室とトイレを仕切らずに一つの空間として配置したり、あるいはトイレと洗面室は仕切るものの、双方の間仕切り壁を可動式にして二つの部屋の広さを自由に変更できるようにしたりする（特許文献１）等の工夫がなされている。
【０００４】
【特許文献１】特開２００５−２４０４３８号公報
【特許文献２】特開平１０−１８４０４２号公報
【特許文献３】特開平０８−２８４４４３号公報
【発明の開示】
【発明が解決しようとする課題】
【０００５】
しかし、浴室とトイレ等を仕切らずに一つの部屋に配置する方法では、特に入浴後は部屋全体がぬれ、しかも部屋全体に湯気が立ち込めるため、その直後トイレが利用しにくくなる等の課題がある。
【０００６】
一方、隣接する部屋間の間仕切り壁を可動式にして双方の部屋の広さを変更できるようにした方法では、部屋の一部は双方で兼用することになることから、例えば一方の部屋の床を防水する必要がある場合、他方の部屋の床も同じように防水する必要があるため、工事費が嵩む等の課題があった。
【０００７】
本発明は、以上の課題を解決するためになされたもので、シャワー室やトイレ等の水回り部の空間を、利用するときは広くゆったりした部屋として利用でき、使用しないときは可能な限りコンパクトな空間にし、その分居室部分を広く利用できるようにすることで、限られた空間を有効に活用できるようにした水回りユニットを提供することを目的とする。
【課題を解決するための手段】
【０００８】
請求項１記載の水回りユニットは、居室、廊下、玄関または叩きに接して配置され、浴室、シャワー室、洗面室またはトイレとして利用される水回りユニットであって、床および壁の一部が前記居室、廊下、玄関または叩き側に移動して広くなるように構成されてなることを特徴とするものである。
【０００９】
本発明は、居室、廊下、玄関または叩きに接して配置されたシャワー室やトイレ等の水回り部が、シャワー室やトイレ等として利用するときは、床および壁の一部を居室、廊下、玄関または叩き側に移動させて広くでき、利用しないときは可能な限りコンパクトに配置して、その分居室部分が広く利用できることで、限られた空間を有効に活用することができるため、ワンルームマンション等の建物に適している。
【００１０】
なお、「叩き」とは、一般には土またはコンクリートで仕上げた土間床をいうが、ここではコンクリートの上を陶磁器タイルやプラスチックタイル等のタイル類で仕上げたものや、化粧モルタル等のモルタル類で仕上げたものをいう。
【００１１】
請求項２記載の水回りユニットは、請求項１記載の水回りユニットにおいて、居室、廊下、玄関または叩きを中央にして、当該居室、廊下、玄関または叩きの両側に対称に配置され、それぞれ床および壁の一部が前記居室、廊下、玄関または叩き側に移動して広くなるように構成されてなることを特徴とするものである。
【００１２】
請求項３記載の水回りユニットは、請求項１または２記載の水回りユニットにおいて、水回り部の床と叩きとの間に叩き側が低い段差が設けてあることを特徴とするものである。
【００１３】
本発明は、水回り部と叩きとの間に、叩き側が低くなるような段差が設けられていることで、水回り部に床を設けても水回り部の床を居室や廊下などの床と高さをほぼ面一にすることができる。
【発明の効果】
【００１４】
本発明は、居室、廊下、玄関または叩きに接して配置されたシャワー室やトイレ等の水回り部が、当該水回り部の壁および床の一部を居室、廊下、玄関または叩き側に移動させて広くなるように構成されているため、シャワー室などとして利用するときは広くゆったり利用でき、利用しないときは可能な限りコンパクトに収納できるため、限られた空間を有効に活用することがで、特にワンルームや独身寮などの建物に適している。  
【００１５】
また、シャワー室やトイレ等の水回り部は、床部分も壁とともに移動するように構成されているため、居室、廊下、玄関側の床がぬれてしまうこともない。
【発明を実施するための最良の形態】
【００１６】
図１〜図４は、長方形状に区画され、その一郭に水回り部としてシャワー室、トイレ、キッチンが配置された住戸の一例を示し、図において長辺方向の一端側に玄関１、当該玄関１を中央にしてその両側に水回り部としてシャワー室２とトイレ３がそれぞれ配置されている。玄関１の床は叩きになっている。
【００１７】
また、当該水回り部に接してキッチン４、当該キッチン４の奥に居室５が玄関側から住戸の奥の方に順に配置され、キッチン４と居室５は一つの空間に連続している。また、シャワー室２、トイレ３、キッチン４および居室５と玄関１との間には、玄関１側が低くなるような段差が設けられている。
【００１８】
シャワー室２およびトイレ３とキッチン４は、間仕切り壁６によって仕切られ、間仕切り壁６の中央に玄関からキッチン４そして居室５に通じる出入り口８が設けられている。
【００１９】
また、シャワー室２の外壁７の内側と間仕切り壁６の内側に、外壁７および間仕切り壁６とは別に内壁９と内壁１０がそれぞれ設けられ、また床スラブとは別に床１１が設けられ、当該内壁９、内壁１０、床１１および玄関１側の妻壁１２は一体に構成されている。また、内壁１０にはキッチン４側からシャワー室２に出入りするための扉付きの出入り口１３が設けられている。
【００２０】
一方、トイレ３の間仕切り壁６の内側にも内壁１０が設けられ、また床１１が設けられ、当該内壁１０、床１１および玄関１側の妻壁１４も一体に構成されている。また、内壁１０にはキッチン４側からトイレ３に出入りするための扉付きの出入り口１５が設けられている。
【００２１】
なお、トイレ３の外壁７側の内壁を省略したのは、シャワー室２のように水でぬれることがないためであり、特に必要であれば設けてもよい。
【００２２】
このような構成において、シャワー室２およびトイレ３の壁と床はそれぞれ、手動または電動モータ等の動力を利用して玄関１側にスライドまたは滑走して移動し、また元の状態に戻るようになっている。
【００２３】
なお、この場合の移動方法としては、例えば床または天井に敷設されたレールにガイドされて単にスライドする方式、またはレールの上を車輪が滑走する方式などが利用できる。
【００２４】
このような構成において、例えばシャワー室２を利用するときは、シャワー室２の内壁９、１０、床１１および妻壁１２を玄関１側に引き出す。そして、出入り口１３の扉を開け、キッチン４側からシャワー室２内に入り、シャワーを浴びることができる。
【００２５】
一方、トイレ３を利用するときは、シャワー室２の内壁９、１０、床１１および妻壁１２を元の状態に戻し、トイレ３の内壁９、１０、床１１および妻壁１４を玄関１側に引き出す。そして、出入り口１５の扉を開け、キッチン４側からトイレ３内に入り、トイレを利用することができる。
【００２６】
そして普段、シャワー室２の内壁９、１０、床１１および妻壁１２と、トイレ３の内壁９、１０、床１１および妻壁１４は、それぞれシャワー室２とトイレ３内に収納しておけば、玄関１は特に問題なく利用することができる。
【００２７】
なお、図５（ａ），（ｂ）は、シャワー室２を利用する際に、玄関１側に引き出した部分２Ａとシャワー２との間にカーテン等の簡易な仕切り部材１６を取り付け、玄関１側に引き出した部分２Ａを脱衣室として利用するようにしたものである。
【００２８】
この例によれば、脱衣室２Ａを確保できることで、キッチン４側からシャワー室２に直接入るようなことは避けられ、とかく脱衣室など設けられないワンルームマンション等の住戸に適している。
【図面の簡単な説明】
【００２９】
【図１】長方形状に区画され、水回り部としてシャワー室、トイレ、キッチン等が配置された住戸の一例を示す基準階の平面図である。
【図２】図１における水回り部を示し、（ａ）はシャワー室およびトイレが使用されていない状態を示す斜視図、（ｂ）はシャワー室が使用されている状態を示す斜視図である。
【図３】図１における水回り部を示し、（ａ）はシャワー室およびトイレが使用されていない状態を示す平面図、（ｂ）はシャワー室が使用されている状態を示す平面図である。
【図４】図１における水回り部を示し、（ａ）はシャワー室およびトイレが使用されていない状態を示す平面図、（ｂ）はトイレが使用されている状態を示す平面図である。
【図５】図１における水回り部を示し、（ａ）はシャワー室およびトイレが使用されていない状態を示す平面図、（ｂ）はシャワー室が使用されている状態を示す平面図である。
【符号の説明】
【００３０】
１  玄関
２  シャワー室
３  トイレ
４  キッチン
５  居室
６  間仕切り壁
７  外壁
８  出入り口
９  内壁
１０  内壁
１１  床
１２  妻壁
１３  扉付き出入り口
１４  妻壁
１５  出入り口
１６  仕切り部材
【図１】
2007303130.tif 000003
【図２】
2007303130.tif 000004
【図３】
2007303130.tif 000005
【図４】
2007303130.tif 000006
【図５】
2007303130.tif 000007